(57)【要約】【課題】無線ＬＡＮアクセスポイントと無線ＬＡＮ端末装置との通信のセキュリティ性を高めることができるとともに、無線ＬＡＮセットアップを容易に行うことこと。【解決手段】撮影レンズ２４を介して撮像を行う撮像素子３０と、表示画面を有する表示部５０と、無線ＬＡＮのアクセスポイントの通信ポートとの間で指向性を有する電磁波を送受信する指向性通信ポート７０と、表示部５０の表示画面上でのアクセスポイントの通信ポートの目標位置を示すガイド表示を、撮像素子３０により得られる撮像画像と合成して、表示部５０の表示画面に表示させる表示制御部３１３を備えた。【選択図】図７
2010050920.tif 000002
【特許請求の範囲】
【請求項１】
撮影レンズを介して撮像を行う撮像手段と、
表示画面を有する表示手段と、
無線ＬＡＮのアクセスポイントの通信ポートとの間で指向性を有する電磁波を送受信する指向性通信手段と、
前記表示画面上での前記アクセスポイントの前記通信ポートの目標位置を示すガイド表示を、前記撮像手段により得られる撮像画像と合成して、前記表示画面に表示させる表示制御手段と、
を備えたことを特徴とする無線ＬＡＮ端末装置。
【請求項２】
前記ガイド表示は、前記アクセスポイントの前記通信ポートの形状および該通信ポートの周囲の形状のうち少なくとも一方の形状を有するパターンを含むことを特徴とする請求項１に記載の無線ＬＡＮ端末装置。
【請求項３】
前記ガイド表示と前記撮像画像中のパターンとを比較して、前記指向性通信手段から放射される前記電磁波の放射範囲と前記アクセスポイントの前記通信ポートとの位置関係、および、前記アクセスポイントの前記通信ポートから放射される前記電磁波の放射範囲と前記指向性通信手段との位置関係が適切であるか否かを判定する判定手段を備え、
前記指向性通信手段は、前記判定手段により適切であると判定されたとき、前記アクセスポイントの前記通信ポートとの間で前記電磁波による通信を開始することを特徴とする請求項２に記載の無線ＬＡＮ端末装置。
【請求項４】
前記指向性通信手段は、前記撮影レンズの近傍に配置されていることを特徴とする請求項１ないし３のいずれか１項に記載の無線ＬＡＮ端末装置。
【請求項５】
前記表示制御手段は、前記撮影レンズの光軸と前記指向性通信手段との間隔に応じて、前記ガイド表示を前記表示画面の中心から離して表示させることを特徴とする請求項１ないし４のうちいずれか１項に記載の無線ＬＡＮ端末装置。
【請求項６】
前記表示制御手段は、前記指向性通信手段と前記アクセスポイントの前記通信ポートとの最適な距離を、前記表示画面に表示させることを特徴とする請求項１ないし５のいずれか１項に記載の無線ＬＡＮ端末装置。
【請求項７】
画像のプリントを注文するプリント注文データの送信指示が入力される指示入力手段を備え、
前記表示制御手段は、前記指示入力手段に前記送信指示が入力されたとき、前記ガイド表示を表示する状態に前記表示手段を切り換えることを特徴とする請求項１ないし６のうちいずれか１項に記載の無線ＬＡＮ端末装置。
【請求項８】
前記表示手段が前記ガイド表示を表示する状態に切り換えられるとき、ズーム倍率を広角側に切り換えるズーム制御手段を備えたことを特徴とする請求項１ないし７のうちいずれか１項に記載の無線ＬＡＮ端末装置。
【請求項９】
前記指向性通信手段は、前記電磁波として赤外線を用いることを特徴とする請求項１ないし８のうちいずれか１項に記載の無線ＬＡＮ端末装置。
【請求項１０】
指向性を有する電磁波を用いて双方向の無線通信を行う通信ポートをそれぞれ有する第１の無線通信装置および第２の無線通信装置の間で無線ＬＡＮの設定情報を通信する無線ＬＡＮセットアップ方法であって、
前記第１の無線通信装置に備えられた撮像手段および表示画面を用い、
前記第１の無線通信装置の前記表示画面上での前記第２の無線通信装置の前記通信ポートの目標位置を示すガイド表示を、前記第１の無線通信装置の前記撮像手段により得られる撮像画像と合成して、前記第１の無線通信装置の前記表示画面に表示させることを特徴とする無線ＬＡＮセットアップ方法。
【発明の詳細な説明】
【技術分野】
【０００１】
本発明は、無線ＬＡＮアクセスポイントと無線ＬＡＮ端末装置との通信のセキュリティ性を高めることができるとともに、無線ＬＡＮセットアップを容易に行うことができる無線ＬＡＮ端末装置および無線ＬＡＮセットアップ方法に関する。
【背景技術】
【０００２】
無線ＬＡＮアクセスポイント装置（以下単に「アクセスポイント」という）と無線ＬＡＮ端末装置（以下「クライアント端末」ともいう）との間で、指向性を有する赤外線を用いて、無線ＬＡＮの設定情報を通信する技術が知られている。
【０００３】
特許文献１には、端末から通信要求を受信すると、その端末に対して赤外線通信で暗号鍵を送信し、その暗号鍵を用いて電波により端末と無線通信を行う構成が開示されている。
【０００４】
特許文献２には、暗号鍵配信装置から赤外線通信で暗号鍵を受信し、その暗号鍵を用いて、電波により端末と無線通信を行う構成が開示されている。
【０００５】
特許文献３には、送信電力を低減して電波が届く範囲を通常時よりも狭めた後、電波により暗号鍵を端末に送信する構成が開示されている。
【特許文献１】特開２００６−１０８８９８号公報
【特許文献２】特開２００６−２３８３４３号公報
【特許文献３】特開２００４−２１５２３２号公報
【発明の開示】
【発明が解決しようとする課題】
【０００６】
指向性を有する赤外線通信による無線ＬＡＮセットアップは、セキュリティの面で有用であるが、赤外線は目に見えないため、ユーザにとって赤外線の放射軸と通信ポートとの位置合わせが難しく、無線ＬＡＮセットアップが困難であるという課題があった。すなわち、画像データなどの有用データの無線通信を容易に開始することができなかった。
【０００７】
特許文献１〜３は、通信ポートの位置合わせを容易にする事項について、記載が無い。
【０００８】
本発明はこのような事情に鑑みてなされたもので、無線ＬＡＮアクセスポイントと無線ＬＡＮ端末装置との通信のセキュリティ性を高めることができるとともに、無線ＬＡＮセットアップを容易に行うことができる無線ＬＡＮ端末装置および無線ＬＡＮセットアップ方法を提供することを目的とする。
【課題を解決するための手段】
【０００９】
前記目的を達成するために、本発明は、撮影レンズを介して撮像を行う撮像手段と、表示画面を有する表示手段と、無線ＬＡＮのアクセスポイントの通信ポートとの間で指向性を有する電磁波を送受信する指向性通信手段と、前記表示画面上での前記アクセスポイントの前記通信ポートの目標位置を示すガイド表示を、前記撮像手段により得られる撮像画像と合成して、前記表示画面に表示させる表示制御手段と、を備えたことを特徴とする無線ＬＡＮ端末装置を提供する。
【００１０】
本発明によれば、指向性を有する電磁波を用いることで通信のセキュリティ性を高めることができるとともに、表示画面上でのアクセスポイントの通信ポートの目標位置を示すガイド表示が撮像画像と合成されて表示画面に表示されるので、ユーザは、表示画面上でアクセスポイントの通信ポートの位置が目標位置に近づくように、無線ＬＡＮ端末装置を振る操作を行うことで、実際のアクセスポイントの通信ポートの位置が無線ＬＡＮ端末装置の電磁波の放射角度範囲内の適切な位置となるように、容易に位置合わせできることになる。すなわち、指向性通信を用いた無線ＬＡＮセットアップの際に、ユーザがアクセスポイントの通信ポートを狙い易くなる。
【００１１】
前記ガイド表示は、前記アクセスポイントの前記通信ポートの形状および該通信ポートの周囲の形状のうち少なくとも一方の形状を有するパターンを含むことが、好ましい。これによれば、アクセスポイントの通信ポートの形状および該通信ポートの周囲の形状のうち少なくとも一方の形状を目標形状とし、ユーザは、表示画面上で撮像画像中の形状が目標形状に近づくように、無線ＬＡＮ端末装置を移動させることで、無線ＬＡＮ端末装置の指向性通信手段の位置がアクセスポイントの電磁波の放射角度範囲内の適切な位置となるように、容易に位置合わせできることになる。
【００１２】
前記ガイド表示と、前記撮像画像中のパターンとを比較して、前記指向性通信手段から放射される前記電磁波の放射範囲と前記アクセスポイントの前記通信ポートとの位置関係、および、前記アクセスポイントの前記通信ポートから放射される前記電磁波の放射範囲と前記指向性通信手段との位置関係が適切であるか否かを判定する判定手段を備え、前記指向性通信手段は、前記判定手段により適切であると判定されたとき、前記アクセスポイントの前記通信ポートとの間で前記電磁波による通信を開始することが、好ましい。
【００１３】
前記指向性通信手段は、前記撮影レンズの近傍に配置されていることが、好ましい。また、前記表示制御手段は、前記撮影レンズの光軸と前記指向性通信手段との間隔に応じて、前記ガイド表示を前記表示画面の中心から離して表示させるようにしてもよい。これによれば、表示画面上でアクセスポイントの通信ポートと目標位置とを位置合わせすると、実際のアクセスポイントの通信ポートと本無線ＬＡＮ端末装置の電磁波の放射軸とが自然と合うようになる。
【００１４】
前記表示制御手段は、前記指向性通信手段と前記アクセスポイントの前記通信ポートとの最適な距離を前記表示画面に表示させることが、好ましい。
【００１５】
画像のプリントを注文するプリント注文データの送信指示が入力される指示入力手段を備え、前記表示制御手段は、前記指示入力手段に前記送信指示が入力されたとき、前記ガイド表示を表示する状態に前記表示手段を切り換えることが、好ましい。
【００１６】
前記表示手段が前記ガイド表示を表示する状態に切り換えられるとき、ズーム倍率を広角側に切り換えるズーム制御手段を備えることが、好ましい。
【００１７】
例えば、前記指向性通信ポートは、前記電磁波として、赤外線を用いる。ただし、本発明にて、指向性を有する前記電磁波は、特に限定されず、赤外線以外の電磁波を用いてもよい。
【００１８】
また、本発明は、指向性を有する電磁波を用いて双方向の無線通信を行う通信ポートをそれぞれ有する第１の無線通信装置および第２の無線通信装置の間で無線ＬＡＮの設定情報を通信する無線ＬＡＮセットアップ方法であって、前記第１の無線通信装置に備えられた撮像手段および表示画面を用い、前記第１の無線通信装置の前記表示画面上での前記第２の無線通信装置の前記通信ポートの目標位置を示すガイド表示を、前記第１の無線通信装置の前記撮像手段により得られる撮像画像と合成して、前記第１の無線通信装置の前記表示画面に表示させることを特徴とする無線ＬＡＮセットアップ方法を提供する。
【発明の効果】
【００１９】
本発明によれば、無線ＬＡＮアクセスポイントと無線ＬＡＮ端末装置との通信のセキュリティ性を高めることができるとともに、無線ＬＡＮセットアップを容易に行うことができる。
【発明を実施するための最良の形態】
【００２０】
以下、添付図面に従って、本発明の実施形態について、詳細に説明する。
【００２１】
図１は、無線ＬＡＮ通信システムを含む構成例を示すブロック図である。図１において、複数の無線ＬＡＮ端末装置８０（以下「クライアント端末」ともいう）、および、無線ＬＡＮアクセスポイント装置８１（以下単に「アクセスポイント」という）によって、無線ＬＡＮ通信システム８２が構成されている。言い換えると、クライアント端末８０は無線ＬＡＮによってアクセスポイント８１との通信を行う構成となっている。
【００２２】
クライアント端末８０は、特に限定されないが、撮影装置が含まれる。撮影装置は、本明細書において、撮影機能を有し、デジタルデータからなる画像データを生成する装置である。撮影装置としては、例えば、デジタルスチールカメラ、デジタルビデオカメラ、カメラ付き携帯端末が挙げられる。
【００２３】
クライアント端末８０は、アクセスポイント８１およびルータ８３を介して、外部ネットワーク８４に接続され、外部ネットワーク８４上のサーバ８５や外部端末８６と通信可能である。外部ネットワーク８４としては、例えば、インターネット、ＬＡＮ（Local Area Network）が挙げられる。外部ネットワーク８４は、有線のネットワークでも、無線のネットワークでもよい。
【００２４】
このような構成において、クライアント端末８０は、サーバ８５と通信することにより、外部ネットワーク８４上のデータベース８７への画像データのアップロード、および、データベース８７からの画像データのダウンロードを行うことができる。すなわち、無線ＬＡＮ通信システム８２を含んで、図１に示すような、画像データを共有する画像データ共有システムを構築できる。
【００２５】
図２は、無線ＬＡＮ端末装置８０の一例としての撮影装置１００の前面側を示す斜視図である。また、図３は、図２の撮影装置１００の背面側を示す斜視図である。
【００２６】
図２および図３に示す撮影装置１００は、本体１１１の前面に撮影レンズ２４を含む沈胴式のレンズ鏡筒１１２、フラッシュ窓１３２、ファインダ窓１３３、および、指向性通信ポート７０が設けられている。
【００２７】
本体１１１の上面には、レリーズボタン１１３および電源スイッチ１１４が設けられている。
【００２８】
本体１１１の背面には、ＬＣＤパネル１１５、ファインダ接眼窓１１６、汎用キー１１７、動作モード切換スイッチ１１８、メニューボタン１１９、キャンセルボタン１２１、ディスプレイボタン１２２、ファンクションボタン１２３が設けられている。
【００２９】
動作モード切換スイッチ１１８は、撮像した撮影画像をメモリカード（図４の４６）に記録する撮影モードと、メモリカード４６に記録された画像を再生し、ＬＣＤパネル１１５に再生表示する再生モードとを切り替える。
【００３０】
ＬＣＤパネル１１５（以下「表示画面」ともいう）は、画像再生に使用される他、撮影モードのときには、フレーミング用のスルー画を表示するビューワインダーとしても機能する。また、ＬＣＤパネル１１５は、各種の設定をするための設定画面を表示する。また、アクセスポイント８１の指向性通信ポート２０２を探す通信ポート探しモードで使用される。
【００３１】
メニューボタン１１９を押下すると、ＬＣＤパネル１１５に設定画面が表示され、撮影モードあるいは再生モードからセットアップモードへ移行する。この設定画面では、後述する無線ＬＡＮセットアップのほか、露出値、色合い、ＩＳＯ感度、記録画素数などの画質調整に関する項目や、セルフタイマーの設定、測光方式の切り替え、デジタルズームを使用するか否かなどの画質調整以外の項目など、撮影装置１００が持つすべての調整項目の設定が行われる。撮影装置１００は、この設定画面で設定された条件に応じて動作する。メニューボタン１１９は、選択した項目や処理を確定したり、実行したりするための確定／実行ボタンとしても機能する。
【００３２】
汎用キー１１７は、再生する画像を選択したり、設定画面内の項目を選択したりするためのカーソルを移動するカーソルシフトキーとして機能する。汎用キー１１７は、カーソルを左右方向に移動させる左シフトキー１１７ａ及び右シフトキー１１７ｃ、上下方向に移動させる上下シフトキー１１７ｂとからなる。左右の各シフトキー１１７ａ、１１７ｃは押しボタン式であり、上下シフトキー１１７ｂは、水平方向の軸を中心に上下方向の揺動自在に設けられている。また、上下シフトキー１１７ｂは、撮影モードで動作している場合には、ズームボタンとして機能する。キャンセルボタン１２１は、選択した項目や操作をキャンセルする。ディスプレイボタン１２２は、ＬＣＤパネル１１５をオン／オフするボタンである。
【００３３】
図３に示す指向性通信ポート７０は、指向性を有する電磁波を送受信する通信ポートである。本例では、指向性通信ポート７０として、赤外線を受光および発光する赤外線通信ポートを用いている。
【００３４】
本例にて、指向性通信ポート７０は、撮影レンズ２４の近傍に配置されている。撮影レンズ２４の光軸から３０ｍｍ以内の位置が、好ましい。
【００３５】
図４は、図１の無線ＬＡＮ端末装置８０としての撮影装置１００の一例のハードウエア構成図である。
【００３６】
図４において、撮影装置１００は、画像を電子的に記録するデジタルスチールカメラであり、ＣＰＵ（Central Processing Unit）１０、操作部１２、ＲＯＭ１４、ＲＡＭ１６、ＥＥＰＲＯＭ（Electrically Erasable and Programmable ROM）２０、撮影レンズ２４、撮像素子３０、タイミングジェネレータ３２、アナログ信号処理部３４、Ａ／Ｄコンバータ３６、画像入力コントローラ３８、画像信号処理部４０、圧縮／伸張処理部４２、メディアコントローラ４４、メモリカード４６、表示制御部４８、表示部５０、ＡＥ検出部５２、ＡＦ検出部５４、測距部５６、フラッシュ制御部５８、フラッシュ６０、電源制御部６２、バッテリ６４、手ぶれ量検出部６６、電波通信部６８、指向性通信ポート７０を含んで構成されている。
【００３７】
ＣＰＵ１０は、撮影装置１００の全体の動作を統括制御する制御手段として機能し、操作部１２からの入力に基づき所定のプログラムに従って撮影装置１００の各部を制御する。また、ＣＰＵ１０は、撮影装置１００の制御に必要な各種制御値を算出するための演算処理手段として機能し、所定のプログラムに従って各種演算処理を実行する。撮影装置１００の各部は、バス２２を介してＣＰＵ１０と接続されている。
【００３８】
ＲＯＭ１４には、このＣＰＵ１０が実行するプログラム及び制御に必要な各種データ等が格納されている。ＲＡＭ１６は、ＣＰＵ１０の作業用領域として利用されるとともに、画像データの一時記憶領域として利用される。また、ＥＥＰＲＯＭ２０には、各種の設定情報等が格納される。
【００３９】
操作部１２は、電源ボタン、レリーズボタン、ズームボタン、モード切替スイッチ、メニューボタン、十字ボタン、実行ボタン、取消ボタン等の各種操作手段で構成され、これら操作手段の操作に応じた信号をＣＰＵ１０に出力する。
【００４０】
なお、本例のレリーズボタンは、いわゆる半押しと全押しが可能な二段ストローク式の押下ボタンで構成される。撮影装置１００は、このレリーズボタンが半押しされると、自動露出（以下「ＡＥ」という場合もある）、オートフォーカス(以下「ＡＦ」という場合もある)等の撮影準備の処理を行い、全押しされると、本撮影の処理を行う。すなわち、半押しでオートフォーカス指示の入力、全押しで撮影指示の入力を行う。
【００４１】
また、撮影装置１００の各種設定は、表示部５０の表示を利用して行われる。例えば、メニューボタンが押されると、撮影装置１００の各種設定を行うための設定メニューが表示部５０に表示される。ユーザは、この表示部５０の画面表示に従い、十字ボタンや実行ボタン、取消ボタンを操作して、撮影装置１００の各種設定を行う。
【００４２】
また、撮影装置１００は、画像を撮影する撮影機能に加えて、撮影した画像を再生する再生機能を備えており、この撮影と再生のモードの切り替えが、モード切替スイッチによって行われる。
【００４３】
撮影レンズ２４は、ズームを行うズームレンズ２４ｚと、焦点合わせを行うフォーカスレンズ２４ｆと、光量調節を行う絞り２４ｉを含んで構成される。
【００４４】
ズームレンズ２４ｚは、ズームモータ２６ｚに駆動されて、光軸上を前後移動する。これにより、撮像素子３０の受光面上に結像される被写体像が光学的に変倍される。ＣＰＵ１０は、ズームモータドライバ２８ｚを介してズームモータ２６ｚの駆動を制御することにより、ズームレンズ２４ｚの移動を制御し、ズームを制御する。
【００４５】
フォーカスレンズ２４ｆは、フォーカスモータ２６ｆに駆動されて、光軸上を前後移動する。これにより、焦点合わせが行われる。ＣＰＵ１０は、フォーカスモータドライバ２８ｆを介してフォーカスモータ２６ｆの駆動を制御することにより、フォーカスレンズ２４ｆの移動を制御し、焦点合わせを行う。
【００４６】
絞り２４ｉは、例えば、アイリス絞りで構成され、アイリスモータ２６ｉに駆動されて、その開口量（絞り値）が変化する。ＣＰＵ１０は、アイリスモータドライバ２８ｉを介してアイリスモータ２６ｉの駆動を制御することにより、絞り２４ｉの開口量を制御し、撮像素子３０の受光面に入射する被写体光の光量を制御する。
【００４７】
撮像素子３０は、ＲＧＢ所定のカラーフィルタ配列のカラーＣＣＤで構成されており、タイミングジェネレータ（ＴＧ）３２に駆動されて動作する。すなわち、タイミングジェネレータ３２から与えられる駆動パルスによって、各画素（フォトセンサ）に蓄積された信号電荷を読み出し、画像信号として出力する。ＣＰＵ１０は、このタイミングジェネレータ３２の駆動を制御することにより、撮像素子３０の電荷蓄積時間（シャッタスピード）、画像信号の読み出しを制御する。
【００４８】
アナログ信号処理部３４は、撮像素子３０から出力されたアナログの画像信号に対して相関二重サンプリング処理を行い、増幅して出力する。
【００４９】
Ａ／Ｄコンバータ３６は、アナログ信号処理部３４から出力されたアナログの画像信号をデジタルの画像信号に変換して出力する。
【００５０】
画像入力コントローラ３８は、所定容量のラインバッファを内蔵しており、ＣＰＵ１０の制御の下、Ａ／Ｄコンバータ３６から出力された１コマ分の画像信号を取り込んで、ＲＡＭ１６に格納する。
【００５１】
画像信号処理部４０は、ＣＰＵ１０による制御の下、ＲＡＭ１６に格納された画像信号を取り込み、所要の信号処理を施して、輝度信号（Ｙ）と色差信号（Ｃｒ，Ｃｂ）とからなる画像信号（Ｙ／Ｃ信号）を生成する。
【００５２】
圧縮／伸張処理部４２は、ＣＰＵ１０による制御の下、画像信号（Ｙ／Ｃ信号）を取り込み、所定の圧縮処理を施して、圧縮画像データ（例えば、ＪＰＥＧ）を生成する。また、ＣＰＵ１０による制御の下、圧縮画像データを取り込み、所定の伸張処理を施して、非圧縮の画像信号（Ｙ／Ｃ信号）を生成する。
【００５３】
メディアコントローラ４４は、ＣＰＵ１０による制御の下、メモリカード４６にデータを読み／書きする。例えば、ＣＰＵ１０からの記録指示に応じて、撮影により得られた画像データをメモリカード４６に記録する。また、ＣＰＵ１０からの読み出し指示に応じて、メモリカード４６から該当する画像データを読み出す。メモリカード４６は、撮影装置本体に設けられたカードスロットに着脱自在に装填される。
【００５４】
表示制御部４８は、ＣＰＵ１０による制御の下、表示部５０の表示を制御する。すなわち、画像信号（Ｙ／Ｃ信号）をＲＡＭ１６から取り込み、表示用の信号形式に変換して、表示部５０に出力する。また、その画像信号に所定の文字、図形、記号等の情報をスーパーインポーズして出力する。
【００５５】
表示部５０は、例えば、カラーＬＣＤで構成される。この表示部５０は、再生モード時に撮影済み画像の再生表示部として使用されるほか、撮影モード時に撮像素子３０で捉えた画像がスルー表示され、電子ファインダとして使用される。
【００５６】
ＡＥ検出部５２は、ＣＰＵ１０による制御の下、ＲＡＭ１６に格納されたＲ、Ｇ、Ｂの画像信号を取り込み、ＡＥ制御に必要な積算値を算出する。本実施の形態の撮影装置１００では、１画面を複数のエリア（例えば８×８）に分割し、分割したエリアごとにＲ、Ｇ、Ｂごとの画像信号の積算値を算出する。ＡＥ制御時、ＣＰＵ１０は、このＡＥ検出部５２から得た積算値に基づいて撮影シーンの明るさを求め、絞り値とシャッタスピードを決定する（例えば、プログラム線図を利用して決定する）。
【００５７】
ＡＦ検出部５４は、ＣＰＵ１０による制御の下、ＲＡＭ１６に格納されたＲ、Ｇ、Ｂの画像信号を取り込み、ＡＦ制御に必要なＡＦ評価値を算出する。このＡＦ検出部５４は、Ｇ信号の高周波成分のみを通過させるハイパスフィルタ、絶対値化処理部、画面に設定された所定のフォーカスエリア内の信号を切り出すフォーカスエリア抽出部、及び、そのフォーカスエリア内の絶対値データを積算する積算部を含み、積算部で積算されたフォーカスエリア内の絶対値データをＡＦ評価値としてＣＰＵ１０に出力する。ＡＦ制御時、ＣＰＵ１０は、フォーカスレンズ２４ｆを至近から無限遠に移動させ、小刻みにＡＦ評価値を取得して、そのピーク位置を合焦位置（主要被写体に合焦するフォーカスレンズ２４ｆの位置）として検出する焦点検出処理を行う。そして、検出された合焦位置にフォーカスレンズ２４ｆを移動させる。
【００５８】
測距部５６は、被写体までの距離（被写体距離）を測定する。被写体距離の測定態様には、各種ある。第１に、撮像素子３０の撮像により得られる撮像画像に基づいて、被写体距離を測定する態様がある。例えば、撮像画像のコントラストが最も大きくなるフォーカス位置（フォーカスレンズ２４ｆの位置）を検出し、このフォーカス位置と被写体距離との対応関係から被写体距離を算出する。第２に、光（又は音波）を発射して、被写体で反射された光（又は音）に基づいて、被写体距離を測定する方法がある。例えば、後述の指向性通信ポート７０から赤外線を発光し、被写体で反射された赤外線を受光して、発光した赤外線および受光した赤外線の位相差を検出し、この位相差から被写体距離を算出する。
【００５９】
フラッシュ制御部５８は、ＣＰＵ１０による制御の下、フラッシュ６０の発光を制御する。すなわち、ＣＰＵ１０から指示された発光タイミング、発光量でフラッシュ６０を発光させる。
【００６０】
フラッシュ６０としては、例えば、キセノン管、ＬＥＤなどによって構成する。
【００６１】
電源制御部６２は、ＣＰＵ１０からの指令に従い、装置本体に装填されたバッテリ６４から撮影装置１００の各部への電源の供給を制御する。
【００６２】
手ぶれ量検出部６６は、手ぶれ量を検出する。例えば、角速度センサを用いて手ぶれ量を検出する。撮像素子３０によって得られた画像信号から動きベクトルを検出することにより手ぶれ量を検出するようにしてもよい。
【００６３】
電波通信部６８は、アクセスポイント（図１の８１）と無指向性の電波を用いて無線通信を行う手段である。
【００６４】
指向性通信ポート７０は、アクセスポイント（図１の８１）と指向性の電磁波を用いて無線通信を行う手段である。
【００６５】
通信方式としては、例えばＩＥＥＥ８０２．１１が挙げられる。通信方式は特に限定されない。
【００６６】
図５は、アクセスポイント８１の一例を示すブロック図である。
【００６７】
図５において、アクセスポイント８１は、無指向性の電波を用いて無線ＬＡＮ端末装置（図１の８０）と通信を行う電波通信部２０１と、指向性を有する赤外線を用いて無線ＬＡＮ端末装置８０と通信を行う指向性通信ポート２０２と、指向性通信ポート２０２の存在位置を示す可視光を発光する可視光発光部２０３と、外部ネットワーク（図１の８４）を介した通信を行う外部ネットワークインターフェース２０４と、各種の情報を記憶する記憶部２０９と、アクセスポイント８１の各部を制御するＣＰＵ（Central Processing Unit）２１０を含んで構成されている。
【００６８】
指向性通信ポート２０２は、赤外線を受光する赤外線受光部２２１、および、赤外線を発光する赤外線発光部２２２を有し、無線ＬＡＮ端末装置８０と赤外線による双方向通信が可能である。
【００６９】
ＣＰＵ２１０は、外部ネットワークインターフェース２０４を制御する外部ネットワーク通信制御部２１１と、電波通信部２０１を制御して無線ＬＡＮ端末装置８０とデータを通信する電波通信制御部２１２と、無線ＬＡＮ端末装置８０に送信するデータの暗号化、無線ＬＡＮ端末装置８０から受信したデータの復号化などのセキュリティ処理を行うセキュリティ処理部２１３と、指向性通信ポート２０２を用いて、無線ＬＡＮ端末装置８０と無線ＬＡＮの設定情報を通信することにより無線ＬＡＮ設定を行う無線ＬＡＮ設定部２１４と、可視光発光部２０３での可視光の発光状態を切り換える可視光制御部２１５を含んで構成されている。
【００７０】
本例の可視光制御部２１５は、無線ＬＡＮ設定開始待ち状態、無線ＬＡＮ設定中状態および無線ＬＡＮ設定完了状態の３つの無線ＬＡＮ設定状態を、可視光の発光状態を切り換えることにより、区別して表示する。
【００７１】
無線ＬＡＮ設定開始待ち状態は、無線ＬＡＮ端末装置８０の指向性通信ポート（例えば図２の７０）から発光される赤外線が、アクセスポイント８１の指向性通信ポート２０２にて受光されることを待っている状態である。具体的には、無線ＬＡＮ端末装置８０から送信される無線ＬＡＮ設定要求が指向性通信ポート２０２で受信されることを待っている状態である。この状態にて、可視光制御部２１５は、可視光発光部２０３に、第１の発光状態の可視光を発光させる。
【００７２】
無線ＬＡＮ設定中状態は、無線ＬＡＮ端末装置８０の指向性通信ポート７０とアクセスポイント８１の指向性通信ポート２０２とで、赤外線による通信を開始してから完了までの状態である。具体的には、無線ＬＡＮ端末装置８０と無線ＬＡＮの設定情報の通信を開始してから完了までの状態である。この状態にて、可視光制御部２１６は、可視光発光部２０３から発光される可視光を、第１の発光状態から第２の発光状態に切り換える。
【００７３】
無線ＬＡＮ設定完了状態は、無線ＬＡＮ端末装置８０の指向性通信ポート７０とアクセスポイント８１の指向性通信ポート２０２とで、赤外線による通信が完了した状態である。具体的には、無線ＬＡＮ端末装置８０との無線ＬＡＮの設定情報の通信が完了した状態である。この状態にて、可視光制御部２１６は、可視光発光部２０３から発光される可視光を、第２の発光状態から第３の発光状態に切り換える。
【００７４】
可視光制御部２１６の可視光発光制御には、各種の態様がある。第１の態様としては、可視光の点滅、点灯および消灯の切り換えを行う態様がある。第２の態様としては、可視光の色を切り換える態様がある。これらの第１の態様および第２の態様を組み合わせることで、可視光の発光状態を切り換えてもよい。
【００７５】
図６は、アクセスポイントの一例の外観を示す斜視図である。図６にて、アクセスポイント８１ａの外装筐体２６９のうち指向性通信ポート２０２が配置されている前面２７１には、指向性通信ポート２０２の周囲を取り囲むようにして、可視光発光部２０３が配置されている。
【００７６】
本例では、無線ＬＡＮ設定開始待ち状態にて、指向性通信ポート２０２の存在位置を示す第１の発光状態（例えば黄色）の可視光が可視光発光部２０３から発光される。また、無線ＬＡＮ設定中状態にて、無線ＬＡＮの設定情報の通信開始から通信完了までの期間であることを示す第２の発光状態（例えば赤色）の可視光が可視光発光部２０３から発光される。また、無線ＬＡＮ設定完了状態にて、無線ＬＡＮの設定情報の通信が完了したことを示す第３の発光状態（例えば青色）の可視光が可視光発光部２０３から発光される。
【００７７】
（第１実施形態）
図７は、本発明の第１施形態に係る無線ＬＡＮ端末装置の一例としての撮影装置１００の要部構成を示すブロック図である。なお、図４に示した構成要素には、図７にて図４と同じ符号を付してあり、既に説明した内容は、その説明を省略する。
【００７８】
撮影装置１００は、撮影装置１００の各部を制御するＣＰＵ１０と、ユーザから各種の指示が入力される操作部１２と、撮像素子３０に被写体像を入射する撮影レンズ２４と、撮影レンズ２４を介して被写体の撮像を行う撮像素子３０と、撮像素子３０により得られる撮像画像を表示可能な表示画面（図３の１１５）を有する表示部５０と、被写体距離を測定する測距部５６と、アクセスポイント８１の電波通信部（図５の２０１）との間で無指向性の電波を送受信することにより無指向性通信を行う電波通信部６８と、アクセスポイント８１の指向性通信ポート（図５の２０２）との間で指向性を有する赤外線を送受信することにより指向性通信を行う指向性通信ポート７０と、各種の情報を記憶する記憶部１０９を含んで構成されている。本例の記憶部１０９は、図４のＲＯＭ１４、ＲＡＭ１６、ＥＥＰＲＯＭ２０およびメモリカード４６からなる。本例の指向性通信ポート７０は、赤外線を受光する赤外線受光部７１および赤外線を発光する赤外線発光部７２を有し、アクセスポイント８１との間で赤外線による双方向通信が可能である。
【００７９】
なお、指向性を有する電磁波として赤外線を用いる場合を例に説明するが、本発明は、指向性を有する電磁波として赤外線以外の電磁波を用いてもよい。また、指向性を有する電磁波を用いて無線ＬＡＮ設定情報の通信を行った後に、無指向性の電波を用いて画像データなどの有用なデータの通信を行う場合を例に説明するが、無線ＬＡＮ設定情報の通信後、指向性を有する電磁波を用いて画像データなどの有用なデータの通信も行う構成としてもよい。
【００８０】
ＣＰＵ１０は、撮影装置１００のモードを切り換えるモード制御部３１１と、撮影レンズ２４のズーム倍率を切り換えるズーム制御部３１２と、表示部５０の表示画面上でのアクセスポイント８１の指向性通信ポート２０２の目標位置を示すターゲットガイド（本例ではアクセスポイント８１上の実際のターゲットパターンと同じ形状である）を、撮像素子３０により得られる撮像画像と合成して、表示部５０の表示画面（図３の１１５）に表示させる表示制御部３１３と、撮像画像中のターゲットパターンおよびターゲットガイドの表示画面上での位置を比較して、撮影装置１００の指向性通信ポート７０から放射される赤外線の放射角度範囲とアクセスポイント８１の指向性通信ポート２０２との位置関係が適切であるか否かを判定するとともに、撮像画像中のターゲットパターンおよびターゲットガイドの形状を比較して、アクセスポイント８１の指向性通信ポート２０２から放射される赤外線の放射角度範囲と撮影装置１００の指向性通信ポート７０との位置関係が適切であるか否かを判定するパターン比較部３１４と、測距部５６により測定された被写体距離に基づいて、撮影装置１００の指向性通信ポート３０２とアクセスポイント８１の指向性通信ポート２０２との距離が互いの赤外線の放射距離範囲内であるか否かを判定する距離判定部３１５と、指向性通信ポート７０を用いて指向性の無線通信を行うことにより、アクセスポイント８１との間で無線ＬＡＮの設定情報を通信する無線ＬＡＮ設定を行う無線ＬＡＮ設定部３１６と、電波通信部７４を用いて無指向性の無線通信を行うことにより、アクセスポイント８１との間で画像データなどの有用なデータを通信する電波通信制御部３１７と、アクセスポイント８１に送信するデータの暗号化、アクセスポイント８１から受信したデータの復号化などのセキュリティ処理を行うセキュリティ処理部３１８を含んで構成されている。
【００８１】
なお、本例のズーム制御部３１２は、撮影レンズ２４のズーム倍率（ズーム位置）を変化させる光学ズームを行うが、このような場合に特に限定されない。電子的に撮像画像のズーム倍率を切り換える電子ズームを行ってもよい。
【００８２】
図８（Ａ）は、アクセスポイント８１におけるターゲットパターンの一例を示す。本例では、図６に示したアクセスポイント８１にて、指向性通信ポート２０２の周囲に配設されている可視光発光部２０３の外形形状（本例では正方形状）を、ターゲットパターン２３０として用いる。
【００８３】
なお、ターゲットパターンは、指向性通信ポート２０２の周囲に配設された部材の形状には特に限定されない。指向性通信ポート自体の形状をターゲットパターンとして用いることも可能である。また、指向性通信ポートの周囲に印刷したパターンをターゲットパターンとして用いてもよい。指向性通信ポートの形状と指向性通信ポートの周囲の形状との組み合わせをターゲットパターンとして用いてもよい。
【００８４】
図８（Ｂ）は、撮影装置１００の表示画面１１５上に表示させるターゲットガイドの一例を示す。本例のターゲットガイド３３０は、図８（Ａ）のターゲットパターン２３０と同じ形状（本例では正方形状）である。
【００８５】
本例では、アクセスポイント８１のターゲットパターン２３０を記憶部１０９に予め記憶させておき、ターゲットガイド３３０として、表示部５０の表示画面１１５に表示させる。
【００８６】
なお、図８（Ｂ）には、“アクセスポイントの通信ポートの位置と形状と大きさを合わせて下さい”というメッセージを表示した場合を例に示したが、メッセージの内容は特に限定されない。赤外線の放射距離が十分に大きい場合（例えば１ｍ以上の場合）には、“・・・位置と形状を合わせて下さい”というメッセージでもよい。
【００８７】
図９（Ａ）、（Ｂ）および（Ｃ）は、それぞれ、図１０（Ａ）、（Ｂ）および（Ｃ）に示す各状態にて、表示画面１１５に表示されるターゲットガイド３３０およびターゲットパターン２３０を示す。図１０（Ａ）に示す状態では、撮影装置１００の前面１７１（撮影レンズ２４および指向性通信ポート７０が配置されている面である）が、アクセスポイント８１の前面２７１に対して左に傾いている。図１０（Ｂ）に示す状態では、撮影装置１００の前面１７１が、アクセスポイント８１の前面２７１に正対している。図１０（Ｃ）に示す状態では、撮影装置１００の前面１７１が、アクセスポイント８１の前面２７１に対して右に傾いている。
【００８８】
本例の撮影装置１００の指向性通信ポート７０は、赤外線の放射角θｔが３０度であり、放射強度は１ｍまでの放射を保証している。
【００８９】
図１０（Ａ）に示す状態では、アクセスポイント８１の指向性通信ポート２０２は、撮影装置１００の指向性通信ポート７０の赤外線放射の保証範囲３７０から右側に外れている。この状態では、図９（Ａ）に示すように、表示画面１１５上、アクセスポイント８１のターゲットパターン２３０がターゲットガイド３３０から右に外れて表示されるので、ユーザが撮影装置１００を右側（図１０（Ａ）では時計回り方向）に振る。これにより、図１０（Ｂ）に示すように、アクセスポイント８１の指向性通信ポート２０２が撮影装置１００の指向性通信ポート７０の赤外線放射の保証範囲３７０内に入ることになる。
【００９０】
図１０（Ｃ）に示す状態では、アクセスポイント８１の指向性通信ポート２０２は、撮影装置１００の指向性通信ポート７０の赤外線放射の保証範囲３７０から左側に外れている。この状態では、図９（Ｃ）に示すように、表示画面１１５上、アクセスポイント８１のターゲットパターン２３０がターゲットガイド３３０から左に外れて表示されるので、ユーザが撮影装置１００を左側（図１０（Ｃ）では反時計回り方向）に振る。これにより、図１０（Ｂ）に示すように、アクセスポイント８１の指向性通信ポート２０２が撮影装置１００の指向性通信ポート７０の赤外線放射の保証範囲３７０内に入ることになる。
【００９１】
図１１（Ａ）、（Ｂ）、（Ｃ）は、それぞれ、図１２の符号１１Ａ、１１Ｂおよび１１Ｃで示す各状態にて、表示画面１１５に表示されるターゲットガイド３３０およびターゲットパターン２３０を示す。図１２に示す符号１１Ａの状態では、撮影装置１００の指向性通信ポート７０が、アクセスポイント８１の指向性通信ポート２０２の赤外線放射の保証範囲２７０の左外側に位置している。図１２に示す符号１１Ｂの状態では、撮影装置１００の指向性通信ポート７０が、アクセスポイント８１の指向性通信ポート２０２の赤外線放射の保証範囲２７０内の中心線上に位置している。図１２に示す符号１１Ｃの状態では、撮影装置１００の指向性通信ポート７０が、アクセスポイント８１の指向性通信ポート２０２の赤外線放射の保証範囲２７０の右外側に位置している。
【００９２】
本例のアクセスポイント８１の指向性通信ポート２０２は、赤外線の放射角θａが３０度であり、放射強度は１ｍまでの放射を保証している。
【００９３】
図１２の符号１１Ａに示す状態では、図１１（Ａ）に示すように、表示画面１１５上、アクセスポイント８１のターゲットパターン２３０の右辺が短く表示されるので、ユーザが撮影装置１００を把持して右側に移動する。これにより、図１２の符号１１Ｂに示すように、撮影装置１００の指向性通信ポート７０がアクセスポイント８１の指向性通信ポート２０２の赤外線放射の保証範囲２７０内に入ることになる。
【００９４】
図１２の符号１１Ｃに示す状態では、図１１（Ｃ）に示すように、表示画面１１５上、アクセスポイント８１のターゲットパターン２３０の左辺が小さく表示されるので、ユーザが撮影装置１００を把持して左側に移動する。これにより、図１２の符号１１Ｂに示すように、撮影装置１００の指向性通信ポート７０がアクセスポイント８１の指向性通信ポート２０２の赤外線放射の保証範囲２７０内に入ることになる。
【００９５】
表示制御部３１３は、ターゲットガイド３３０を撮像画像に合成して表示画面１１５に表示することにより、ユーザに次のような操作を促す。
【００９６】
第１に、ユーザが撮影装置１００を振る操作を行うことで、撮影装置１００の撮像方向（すなわち撮影レンズ２４の光軸方向）を変化させる。これにより、撮影装置１００の指向性通信ポート７０の赤外線の放射方向を変化させる。このような操作は、図９を用いて説明したように、ユーザの視線からすれば、表示画面１１５上で、ターゲットガイド３３０の位置に、撮像されるターゲットパターン２３０の位置を合わせる操作（位置合わせ操作）といえる。この位置合わせ操作により、撮影装置１００の指向性通信ポート７０から発射される赤外線の放射角度範囲がアクセスポイント８１の指向性通信ポート２０２をカバーすることになる。言い換えると、撮影装置１００の指向性通信ポート７０から発射される赤外線の放射角度範囲内の適切な位置に、アクセスポイント８１の指向性通信ポート２０２が移動することになる。
【００９７】
第２に、ユーザが撮影装置１００を把持してアクセスポイント８１の指向性通信ポート２０２の配置面に対して略水平方向（横方向）に移動することで、撮影装置１００の指向性通信ポート７０を移動させる。このような操作は、図１０を用いて説明したように、ユーザの視線からすれば、表示画面１１５上で、ターゲットガイド３３０の形状に、撮像されるターゲットパターン２３０の形状を合わせる操作（形状合わせ操作）といえる。この形状合わせ操作により、アクセスポイント８１の指向性通信ポート２０２から発射される赤外線の放射角度範囲内の適切な位置に、撮影装置１００の指向性通信ポート７０が移動することになる。
【００９８】
第３に、ユーザは、アクセスポイント８１の指向性通信ポート２０２の配置面に対して略垂直方向（遠近方向）に移動することで、撮影装置１００の指向性通信ポート７０を移動させる。このような操作は、ユーザの目線からすれば、表示画面１１５上で、ターゲットガイド３３０の大きさに、撮像されるターゲットパターン２３０の大きさを合わせる操作（大きさ合わせ操作）といえる。この大きさ合わせ操作により、アクセスポイント８１の指向性通信ポート２０２と撮影装置１００の指向性通信ポート７０との間隔が互いの赤外線の放射距離範囲内の適切な距離になる。
【００９９】
また、本例の撮影装置１００では、図２に示したように、撮影レンズ２４の上側に指向性通信ポート７０が配置されているので、図８（Ｂ）に示すように、表示画面１１５上でターゲットガイド３３０を表示画面１１５の中心よりも上に描画する。
【０１００】
なお、指向性通信ポート７０が撮影レンズ２４の下側に配置されている場合には、表示画面１１５上でターゲットガイド３３０を表示画面１１５の中心よりも下に描画する。また、指向性通信ポート７０が撮影レンズ２４の左側（または右側）に配置されている場合には、表示画面１１５上でターゲットガイド３３０を表示画面１１５の中心よりも左（または右）に描画する。
【０１０１】
すなわち、表示制御部３１３は、撮影レンズ２４の光軸と指向性通信ポート７０との間隔に応じて、ターゲットガイド３３０を表示画面１１５の中心から離して表示させる。これにより、指向性通信の光軸合わせの精度を高めることが可能となる。
【０１０２】
図１３は、本実施形態における無線ＬＡＮセットアップ処理の一例の流れを示すフローチャートである。本処理は、図７のＣＰＵ１０に制御により、プログラムに従って、実行される。
【０１０３】
ここでは、アクセスポイント８１の指向性通信ポート２０２と撮影装置１００の指向性通信ポート７０との距離が、ふたつの指向性通信ポート７０、２０２の保証された赤外線放射距離内であって、操作部１２から無線ＬＡＮセットアップ指示が入力された場合を例に説明する。
【０１０４】
ステップＳ１にて、モード制御部３１１により、撮影装置１００はアクセスポイント８１の指向性通信ポート２０２を表示画面１１５上で探すモード（通信ポート探しモード）に遷移する。
【０１０５】
ステップＳ２にて、ズーム制御部３１２により、ズーム設定を行う。本例では、撮影レンズ２４のズーム位置を広角端に切り換える。マクロ撮影に切り換えてもよい。
【０１０６】
ステップＳ３にて、表示制御部３１３により、撮像素子３０により得られる画像（スルー画像）に、ターゲットガイド（図８（Ｂ）の３３０）を合成して、表示画面１１５に表示する。
【０１０７】
ステップＳ４にて、図９〜図１２を用いて説明したように、ユーザにより、表示画面１１５上で、ターゲットガイド３３０とアクセスポイント８１のターゲットパターン２３０との位置合わせおよび形状合わせを行う。
【０１０８】
ユーザが表示画面１１５上で２つのパターン２３０、３３０の位置を合わせようとすることで、撮影装置１００の指向性通信ポート７０の赤外線の放射角度範囲が、アクセスポイント８１の指向性通信ポート２０２を適切にカバーするようになる。また、ユーザが表示画面１１５上で２つのパターン２３０、３３０の形状を合わせようとすることで、撮影装置１００の指向性通信ポート７０がアクセスポイント８１の指向性通信ポート２０２の赤外線の放射角度範囲内の適切な位置に移動することになる。
【０１０９】
ステップＳ５にて、パターン比較部３１４により、予め記憶部１０９に記憶されている実際のアクセスポイント８１上のターゲットパターン２３０のデータと、撮像画像から抽出したターゲットパターン２３０のデータとを比較する。すなわち、表示画面１１５上のターゲットガイド３３０と表示画面１１５上のターゲットパターン２３０とを比較する。これにより、撮影装置１００の指向性通信ポート７０から放射される赤外線の放射角度範囲とアクセスポイント８１の指向性通信ポート２０２との位置関係、および、アクセスポイント８１の指向性通信ポート２０２から放射される赤外線の放射角度範囲と撮影装置１００の指向性通信ポート７０との位置関係が適切であるか否かを判定する。本例では、ターゲットガイド３３０が四角形であって４つの頂点を有するので、表示画面１１５上でのターゲットガイド３３０およびターゲットパターン２３０の各頂点同士の位置関係を検出して、撮影装置１００の赤外線放射角度が、アクセスポイント８１の指向性通信ポート２０２の実際の位置に対して、適切であるか否かを判定する。また、本例では、ターゲットガイド３３０が四角形であって４つの辺を有するので、表示画面１１５上でのターゲットガイド３３０およびターゲットパターン２３０の各辺同士の長さの比を算出して、撮影装置１００の指向性通信ポート７０の位置が、アクセスポイント８１の赤外線の放射角度に対して、適切であるか否かを判定する。
【０１１０】
また、ステップＳ５にて、距離判定部３１５により、測距部５６で測定された被写体距離に基づいて、ふたつの指向性通信ポート７０、２０２の間隔が、相互の赤外線の放射距離に対して、適切であるか否かを判定する。
【０１１１】
なお、赤外線放射の保証範囲２７０、３７０内に指向性通信ポート７０、２０２が入っていればＯＫとしてもよいが、赤外線による通信中に撮影装置１００の傾きや位置が変動することも考慮して、赤外線放射の保証範囲２７０、３７０よりもさらに内側の基準範囲内に入っているか否かを判定することが、好ましい。
【０１１２】
ステップＳ５の判定にて、ＯＫと判定された場合には、ステップＳ６にて、指向性通信ポート７０を用いて、赤外線通信により、アクセスポイント８１との間で無線ＬＡＮ設定情報を通信する。
【０１１３】
本例にて、無線ＬＡＮ設定情報は、撮影装置１００とアクセスポイント８１との間の無指向性通信によるデータの通信の成立に必要な設定情報である。例えば、ＥＳＳＩＤ（Extended Service Set Identifier）、ＷＥＰＩＤ（Wired Equivalent Privacy）を、アクセスポイント８１に対して送信する。
【０１１４】
なお、図８（Ａ）および（Ｂ）に示したように、ターゲットガイド３３０が正方形である場合を例に説明したが、このような場合には特に限定されない。
【０１１５】
図１４（Ａ）は、アクセスポイント８１の指向性通信ポート２０２の周囲に、可視光発光部２０３として、４つのＬＥＤ（発光ダイオード）が配置されている例を示す。本例では、これらの４つのＬＥＤ２０３の配置パターン（すなわち４つの点からなるパターン）を、ターゲットパターン２３０として用いる。図１４（Ｂ）は、撮影装置１００の表示画面１１５に表示されるターゲットガイド３３０を示す。
【０１１６】
図１５（Ａ）に示すアクセスポイント８１ｂでは、指向性通信ポート２０２の配置面２７１にて、指向性通信ポート２０２の４方向（上、下、左、右）にひとつずつ、合計４個の三角形状の可視光発光部２０３が配置されている。図１５（Ｂ）に示すアクセスポイント８１ｃでは、指向性通信ポート２０２の配置面２７１に、指向性通信ポート２０２の周囲を取り囲むリング状の可視光発光部２０３が配置されている。
【０１１７】
図１６（Ａ）は、図１５（Ａ）に示したアクセスポイント８１ｂの可視光発光部２０３に対応したターゲットガイド３３０を示す。図１６（Ｂ）は、図１５（Ｂ）に示したアクセスポイント８１ｃの指向性通信ポート２０２および可視光発光部２０３に対応したターゲットガイド３３０を示す。図１６（Ｃ）は、十字形状のターゲットガイド３３０を示す。
【０１１８】
図１７は、表示制御部３１３により、撮影装置１００の指向性通信ポート７０とアクセスポイント８１の指向性通信ポート２０２との最適距離を、表示画面１１５に表示させた例を示す。例えば、図１３に示すフローチャートのステップＳ３にて、ターゲットガイド３３０とともに、最適距離を表示する。
【０１１９】
（第２実施形態）
図１８は、本発明の第２施形態に係る無線ＬＡＮ端末装置の一例としての撮影装置１０００の要部構成を示すブロック図である。図４および図７に示した構成要素には、図１８にて図４および図７と同じ符号を付してある。ここでは、第１実施形態の撮影装置１００と異なる事項のみ説明する。
【０１２０】
図１８にて、プリント注文受付部３２０は、操作部１２から入力されるユーザの指示に応じて、記憶部１０９に記憶されている画像のプリント注文を受け付ける。
【０１２１】
本例にて、ユーザは、プリント注文したい画像の指定、プリント枚数などの各種のプリント注文内容を操作部１２から指定可能である。ユーザがプリント注文内容を確定すると、プリント注文受付部３２０により、ＤＰＯＦ（Digital Print Order Format）に従ったプリント注文データが作成されて、記憶部１０９に記憶される。他の装置でプリント注文データを作成してメモリカード４６に記憶し、そのメモリカード４６が本撮影装置１０００に装着されたとき、メモリカード４６からプリント注文データを読み取ってもよい。
【０１２２】
ユーザは、プリント注文データが作成された後、操作部１２にて、プリント注文データの送信指示を入力する。
【０１２３】
本例では、プリント注文データの送信指示が入力されると、撮影装置１０００は、指向性通信により、アクセスポイント８１との間で無線ＬＡＮ設定情報の通信を行った後、無指向性通信により、アクセスポイント８１を介して外部ネットワーク（図１の８４）に接続されているサーバ８５に対してプリント注文データを送信する。
【０１２４】
図１９は、第２実施形態に係る無線ＬＡＮセットアップ処理の流れを示すフローチャートである。本処理は、図１８のＣＰＵ１０に制御により、プログラムに従って、実行される。
【０１２５】
ステップＳ１１にて、ユーザにより、操作部１２にて、プリント注文データの送信指示が入力される。そうすると、プリント注文受付部３２０は、モード制御部３１１に対して、ユーザの送信指示を通知する。
【０１２６】
ステップＳ１２にて、モード制御部３１１により、撮影装置１００はアクセスポイント８１の指向性通信ポート２０２を探すモード（通信ポート探しモード）に遷移する。
【０１２７】
ステップＳ１３〜Ｓ１７は、それぞれ、図１３に示した第１実施形態におけるステップＳ２〜Ｓ６とほぼ同様であり、ここでは、その説明を省略する。
【０１２８】
本明細書にて、指向性を有する電磁波とは、特定の方向に偏って到達する電磁波である。このような電磁波の例として、赤外線が挙げられる。赤外線は、可視光よりも波長が長く、電波よりも波長が短い電磁波である。波長は０．７μｍ〜１ｍｍである。赤外線は、一般に、近赤外線（波長０．７〜２．５μｍ）、中赤外線（波長２．５〜４μｍ）、遠赤外線（波長２．５μｍ〜１ｍｍ）に分類されている。なお、本発明において、指向性を有する電磁波は、赤外線には特に限定されないけれども、特に人体（特に目）に有害な電磁波は避ける必要がある。
【０１２９】
本明細書にて、ターゲットガイド（ガイド表示）は、図面に示した表示には特に限定されない。例えば、図８（Ａ）の四角形や、図１４（ｂ）の四点パターンには限定されない。例えば、三角形、格子形状のパターンを用いてもよい。文字（例えば“Ｘ”）、図形、記号、これらの組み合わせのうち、いずれを用いることも可能である。ただし、ユーザが図９を用いて説明した位置合わせ操作および図１１を用いて説明した形状合わせ操作をし易いターゲットパターンを用いることが、好ましい。さらに、大きさ合わせ操作をし易いターゲットパターンを用いてもよい。
【０１３０】
なお、本発明は、本明細書において説明した例や図面に図示された例には限定されず、本発明の要旨を逸脱しない範囲において、各種の設計変更や改良を行ってよいのはもちろんである。
【図面の簡単な説明】
【０１３１】
【図１】無線ＬＡＮ通信システムを含む構成例を示すブロック図
【図２】撮影装置の一例の前面側の外観を示す斜視図
【図３】撮影装置の一例の背面側の外観を示す斜視図
【図４】撮影装置の一例のハードウエア構成図
【図５】アクセスポイントの一例のブロック図
【図６】アクセスポイントの一例の外観を示す斜視図
【図７】第１実施形態に係る無線ＬＡＮ端末装置の一例としての撮影装置の要部構成を示すブロック図
【図８】（Ａ）はアクセスポイント上のターゲットパターンの一例を示す説明図、（Ｂ）は撮影装置の表示画面上のターゲットガイドの一例を示す説明図
【図９】（Ａ）〜（Ｃ）は、位置合わせ操作よる表示画面上のターゲットパターンの位置変化の説明に用いる説明図
【図１０】（Ａ）〜（Ｃ）は、撮影装置の赤外線放射とアクセスポイントの指向性通信ポートの位置との関係の説明に用いる説明図
【図１１】（Ａ）〜（Ｃ）は、形状合わせ操作よる表示画面上のターゲットパターンの形状変化の説明に用いる説明図
【図１２】（Ａ）〜（Ｃ）は、アクセスポイントの赤外線放射と撮影装置の指向性通信ポートの位置との関係の説明に用いる説明図
【図１３】第１実施形態に係る無線ＬＡＮセットアップ処理の流れを示すフローチャート
【図１４】（Ａ）はターゲットパターンが４つのＬＥＤの配列パターンによって構成されている場合を示す説明図、（Ｂ）はその場合の表示画面上のターゲットガイドを示す説明図
【図１５】（Ａ）および（Ｂ）は、アクセスポイントの他の例の外観を示す斜視図
【図１６】（Ａ）〜（Ｃ）は、ターゲットガイドの他の例を示す説明図
【図１７】最適距離表示の説明に用いる説明図
【図１８】第２実施形態に係る無線ＬＡＮ端末装置の一例としての撮影装置の要部構成を示すブロック図
【図１９】第２実施形態に係る無線ＬＡＮセットアップ処理の流れを示すフローチャート
【符号の説明】
【０１３２】
１０…ＣＰＵ、１２…操作部（指示入力手段）、２４…撮影レンズ、３０…撮像素子、５０…表示部、５６…測距部、６８…電波通信部、７０…指向性通信ポート、７１…赤外線受光部、７２…赤外線発光部、８０…無線ＬＡＮ端末装置、８１…アクセスポイント、１００、１０００…撮影装置、２０１…アクセスポイントの電波通信部、２０２…アクセスポイントの指向性通信ポート、２０３…アクセスポイントの可視光発光部、３１１…モード制御部、３１２…ズーム制御部、３１３…表示制御部、３１４…パターン比較部、３１５…距離判定部、３１６…無線ＬＡＮ設定部
【図１】
2010050920.tif 000003
【図２】
2010050920.tif 000004
【図３】
2010050920.tif 000005
【図４】
2010050920.tif 000006
【図５】
2010050920.tif 000007
【図６】
2010050920.tif 000008
【図７】
2010050920.tif 000009
【図８】
2010050920.tif 000010
【図９】
2010050920.tif 000011
【図１０】
2010050920.tif 000012
【図１１】
2010050920.tif 000013
【図１２】
2010050920.tif 000014
【図１３】
2010050920.tif 000015
【図１４】
2010050920.tif 000016
【図１５】
2010050920.tif 000017
【図１６】
2010050920.tif 000018
【図１７】
2010050920.tif 000019
【図１８】
2010050920.tif 000020
【図１９】
2010050920.tif 000021